(57)【要約】【課題】透明な装飾品の特定部位を、その特定部位があたかも自ら発光しているように光らせること。【解決手段】光源２８と反射部材２２とは、透明体１６の背面側で、透明体１６を正面より見た投影面以外の位置に配置し、反射部材２２と透明体１６とを透明な導光部材３８、４０によって接続する。【選択図】図２
2015138642.tif 000002
【特許請求の範囲】
【請求項１】
透明体の特定部位を照明する装飾用照明装置であって、
前記透明体の背面側であって当該透明体を正面より見た投影面以外の位置に配置された光源と、
前記透明体の背面側であって当該透明体を正面より見た投影面以外の位置に配置され、一方の端面が前記光源からの光の入射面をなし、少なくとも一つの反射面を具備した光反射部材と、
前記反射面からの反射光を前記透明体の背面側において前記特定部位に光を導く透明な導光部材とを有する装飾用照明装置。
【請求項２】
前記透明体は照明対象の前記特定部位を複数有し、
前記光反射部材は、前記入射面からの光の進行方向で見て互いに異なり且つ前記入射面と平行な投影面で見て互いに重ならない複数の位置に前記反射面を有し、
前記導光部材は反射面毎に設けられて各特定部位に個別に光を導く請求項１に記載に装飾用照明装置。
【請求項３】
前記反射面は前記特定部位の形状と相関する形状であり、前記導光部材の前記光反射部材側の端面は前記反射面の形状と相関する形状であり、前記導光部材の前記特定部位側の端面は前記特定部位と同一形状である請求項１または２に記載の装飾用照明装置。
【請求項４】
前記透明体は三次元立体形状のものであり、前記特定部位は前記透明体の三次元立体形状に倣って存在する請求項１から３の何れか一項に記載の装飾用照明装置。
【請求項５】
前記光反射部材は前記導光部材を接続される側の面が平面をなす板状のものであり、
更に、前記導光部材の前記光反射部材側の端部を貫通状態で支持して前記光反射部材の前記平面に接合される光遮断性の支持板を有する請求項１から４の何れか一項に記載の装飾用照明装置。
【発明の詳細な説明】
【技術分野】
【０００１】
本発明は、装飾用照明装置に関し、更に詳細には、透明体の特定部位を照明する装飾用照明装置に関する。
【背景技術】
【０００２】
透明体を照明するものとして、透明な板体の外周端面に沿って配置されたＬＥＤ光源によって板体の全面を光らせると共に、板体の板面に蛍光ペン等によって描かれた文字や図柄を照明する看板は知られている（例えば、特許文献１）。
【先行技術文献】
【特許文献】
【０００３】
【特許文献１】実用新案登録第３１４５１７７号公報
【発明の概要】
【発明が解決しようとする課題】
【０００４】
遊技機やショーウィンドウ等の装飾において、実空間に配置された透明樹脂製や透明ガラス製の透明な装飾品の特定部位を、その特定部位があたかも自ら発光しているように光らせてインパクトの強い演出を行う要望がある。
【０００５】
このことに対して、従来技術として挙げた看板のようなものは、透明体（透明板）の全体を光らせるものであり、装飾のために透明体の特定部位のみを光らせることはできない。
【０００６】
装飾品の特定部位のみを光らせる場合、装飾品が不透明なものであれば、装飾品の背後が正面より見えないので、装飾品の背後側に、特定部位のみを光らせるための透明でない光源や導光手段等が配置されても見栄えが悪くなることはないが、透明な装飾品の場合には、装飾品の背後が正面より見えるため、装飾品の背後側に、透明でない光源や導光手段等が配置されると、見栄えが悪いものになる。
【０００７】
本発明が解決しようとする課題は、見栄えを損なうことなく透明な装飾品の特定部位を、その特定部位があたかも自ら発光しているように光らせることである。
【課題を解決するための手段】
【０００８】
本発明による装飾用照明装置は、透明体（１６）の特定部位（１８、２０）を照明する装飾用照明装置であって、前記透明体（１６）の背面側であって当該透明体を正面より見た投影面以外の位置に配置された光源と、前記透明体（１６）の背面側であって当該透明体（１６）を正面より見た投影面以外の位置に配置され、一方の端面が前記光源（３０）からの光の入射面（２２Ａ）をなし、少なくとも一つの反射面（２４、２６）を具備した光反射部材（２２）と、前記反射面（２４、２６）からの反射光を前記透明体（１６）の背面側において前記特定部位（１８、２０）に光を導く透明な導光部材（３８、４０）とを有する。
【０００９】
この構成によれば、光源（３０）から光反射部材２２に入射した光は、反射面（２４、２６）で反射して導光部材（３８、４０）に向かい、導光部材（３８、４０）によって特定部位（１８、２０）の背面に到達する。これにより、透明体（１６）を前方より見て特定部位（１８、２０）が光って見える。透明体（１６）の後方に位置する導光部材（３８、４０）は透明で、透明体（１６）の前方から導光部材（３８、４０）の存在を視認し難いから、透明体（１６）を前方より見て透明体（１６）の後方には何もないように見える。これにより、見栄えを損なうことなく、透明体（１６）の特定部位（１８、２０）があたかも自ら発光しているように看視される。
【００１０】
本発明による装飾用照明装置は、好ましくは、前記透明体（１６）は照明対象の前記特定部位（１８、２０）を複数有し、前記光反射部材（２２）は、前記入射面（２２Ａ）からの光の進行方向で見て互いに異なり且つ前記入射面（２２Ａ）と平行な投影面で見て互いに重ならない複数の位置に前記反射面（２４、２６）を有し、前記導光部材（３８、４０）は反射面（２４、２６）毎に設けられて各特定部位（１８、２０）に個別に光を導く。
【００１１】
この構成によれば、光反射部材（２２）が個別の反射面（２４、２６）によって各導光部材（３８、４０）に光を並列の関係で分配する光分配要素としても機能し、各特定部位（１８、２０）が概ね同等の明るさをもって光るようになる。
【００１２】
本発明による装飾用照明装置は、好ましくは、前記反射面（２４、２６）は前記特定部位（１８、２０）の形状と相関する形状であり、前記導光部材（３８、４０）の前記光反射部材側の端面（３８Ａ、４０Ａ）は前記反射面（２４、２６）の形状と相関する形状であり、前記導光部材（３８、４０）の前記特定部位（１８、２０）側の端面（３８Ｂ、４０Ｂ）は前記特定部位（１８、２０）と同一形状である。
【００１３】
この構成によれば、特定部位（１８、２０）の全域が面状に照明され、特定部位（１８、２０）が継ぎ目なく面状に一様に光って見える効果が得られる。
【００１４】
本発明による装飾用照明装置は、好ましくは、前記透明体（５０）は三次元立体形状のものであり、前記特定部位（５２、５４、５６、５８、６０）は前記透明体（５０）の三次元立体形状に倣って存在する。
【００１５】
この構成によれば、三次元立体形状の透明体（５０）の特定部位（５２、５４、５６、５８、６０）が透明体（５０）の三次元立体形状に倣った形状をもって自ら発光しているように看視され、インパクトの強い演出を行うことができる。
【００１６】
本発明による装飾用照明装置は、好ましくは、前記光反射部材（２２）は前記導光部材（３８、４０）を接続される側の面（２２Ｂ）が平面をなす板状のものであり、更に、前記導光部材（３８、４０）の前記反射部材（２２）側の端部を貫通状態で支持して前記光反射部材（２２）の前記平面に接合される光遮断性の支持板（３２）を有する。
【００１７】
この構成によれば、導光部材（３８、４０）の支持が支持板（３２）によって行われ、支持板（３２）が光遮断性であることにより、光反射部材（２２）の前記平面からの漏れ光が透明体（１６）の背面側に向かうことが阻止され、特定部位（１８、２０）が自ら発光しているように見える演出が綺麗に行われる。
【発明の効果】
【００１８】
本発明による装飾用照明装置によれば、透明体を前方より見て透明体の後方には何もないように見え、見栄えを悪くすることなく透明体の特定部位があたかも自ら発光しているように看視される。
【図面の簡単な説明】
【００１９】
【図１】本発明による装飾用照明装置の一つの実施形態を示す要部の分解斜視図。
【図２】本実施形態による装飾用照明装置の縦断面図（図１のＡ矢視図相当）。
【図３】本発明による装飾用照明装置の他の実施形態を示す正面図。
【図４】他の実施形態による装飾用照明装置の側面図。
【発明を実施するための形態】
【００２０】
以下に、本発明による装飾用照明装置の一つの実施形態を、図１、図２を参照して説明する。
【００２１】
本実施形態による装飾用照明装置１０は直方体形状のハウジング１２を有する。ハウジング１２は、上方開口のハウジング本体１２Ａと、ハウジング本体１２Ａの上方開口を閉じる蓋体１２Ｂとにより、内壁面が黒色の暗箱のように構成されている。ハウジング１２の垂直な前壁には前部開口１４が形成されている。ハウジング１２には前部開口１４を塞ぐように透明体１６が垂直姿勢で固定されている。
【００２２】
透明体１６は、照明すべき特定部位を有する装飾品であり、透明樹脂あるいは透明ガラス等の光透過材料によって構成され、前側が６角台形カットの宝石形状による装飾部１６Ａをなし、背面が一つの平面によって導光体接続面１６Ｂをなしている。装飾部１６Ａには、照明する特定部位として、装飾部１６Ａのうち、上下方向に長い左右対称の辺部に沿った２個の帯状領域１８、２０が設定されている。
【００２３】
ハウジング１２の天井部の外部には光反射部材２２が配置されている。これにより、光反射部材２２は、透明体１６の背面側（後方）にあって透明体１６を正面より見た投影面（正投影面）以外の位置に位置し、透明体１６を正面より見た時に、観察者に目視され得ない。光反射部材２２は、アクリル樹脂等の光学材料によって、平面形状が左右方向に長い矩形の板状に構成されており、左側の端面が後述する光源ユニット２８からの光の入射面２２Ａをなしている。
【００２４】
光反射部材２２は、２個の反射面２４、２６を有し、光分配部材としても機能する。反射面２４、２６は、帯状領域１８、２０毎に個別に設けられるものであり、各々対応する帯状領域１８、２０の形状と相似形で、入射面２２Ａからの光の進行方向で見て互いに異なり且つ入射面２２Ａと平行な投影面で見て互いに重ならない位置、つまり上下に互いに異なる位置に形成されている。これにより、光反射部材２２の上部は２個の反射面２４、２６によって階段形状をなす。光反射部材２２の下底面は、その全体が水平な平面である。光反射部材２２は、下底面（出射面２２Ｂ）が水平面になるように、ハウジング１２の天井部上方に配置される。
【００２５】
反射面２４、２６は、各々、水平面に対して略４５度の傾斜角を持ち、光反射部材２２を構成する光学材料の屈折率と空気の屈折率との相違によって入射面２２Ａからの水平方向の光を略４５度の入射角をもって入射して略４５度の反射角をもって下向きに略全反射（内部反射）する。これにより、光反射部材２２の下底面が反射面２４、２６からの反射光の共通の出射面２２Ｂをなす。
【００２６】
光反射部材２２の左側には光源ユニット２８が設けられている。光源ユニット２８は、透明体１６の背面側（後方）にあって透明体１６を正面より見た投影面（正投影面）以外の位置に配置されている。光源ユニット２８は、入射面２２Ａとの対向面側に、入射面２２Ａの前後方向長さと同等の長さ範囲に亘って配列された複数個のＬＥＤ３０を有し、ＬＥＤ３０が発生する光を入射面２２Ａに照射する。ＬＥＤ３０はレンズ付きのものであって円錐形状の照射広がり（照射角度）をもって光を照射するから、複数のＬＥＤ３０が点状配置であっても、面光源のように、反射面２４、２６の各々の全面に光が略一様に入射する。
【００２７】
光反射部材２２の下底面、つまり出射面２２Ｂには平板による支持板３２が貼り合わせられている。支持板３２は、光遮断性材料、例えば黒色樹脂等によって構成されていて、ハウジング１２の天井部の外部に固定されている。支持板３２には、各反射面２４、２６の真下位置に対応する位置に、対応する反射面２４、２６と同一平面形状の開口３４、３６が貫通形成されている。
【００２８】
開口３４、３６には板状の導光部材３８、４０が差し込まれている。これにより、支持板３２は、導光部材３８、４０の光反射部材２２側の端部を貫通状態で支持する。支持板３２は、光遮断性であるから、導光部材３８、４０の支持部材として機能すると同時に、光反射部材２２の出射面２２Ｂより導光部材３８、４０に入射する以外の漏れ光がハウジング１２内に入ることを阻止する光遮断部材として機能する。
【００２９】
導光部材３８、４０は、反射面２４、２６毎、換言すると、帯状領域１８、２０毎に設けられており、その全体をアクリル樹脂等の導光性を有する透明な光学材料によって構成されている。導光部材３８、４０の光反射部材２２側の端面３８Ａ、４０Ａは、対応する反射面２４、２６の水平面に対する投影形状と同一形状の水平面であり、対応する反射面２４、２６の真下位置にて光反射部材２２の出射面２２Ｂに接合している。導光部材３８、４０は、支持板３２より斜め前方且つ下方に延在し、ハウジング１２の天井部の形成された上部開口４２を貫通してハウジング１２内に進入し、透明体１６の背面、つまり導光体接続面１６Ｂに到達している。
【００３０】
導光部材３８、４０の透明体１６の端面３８Ｂ、４０Ｂは、対応する帯状領域１８、２０の正面形状と同一形状の垂直面であり、対応する帯状領域１８、２０の真後ろ位置にて透明体１６の導光体接続面１６Ｂに接合している。
【００３１】
上述の構成によれば、ＬＥＤ３０が発光すると、光反射部材２２に光が入射される。その光の一部は、一つの反射面２４に到達し、反射面２４にて反射して導光部材３８へ向かう。この光は、導光部材３８内を通過して端面３８Ｂに到達し、端面３８Ｂより帯状領域１８の真後ろ位置にて前方に出射される。これにより、帯状領域１８が背面側より照明され、透明体１６を前方より見て帯状領域１８が光って見える。
【００３２】
残りの光は、もう一つの反射面２６に到達し、反射面２６にて反射して導光部材４０へ向う。この光は、導光部材４０内を通過して端面４０Ｂに到達し、端面４０Ｂより帯状領域１８の真後ろ位置にて前方に出射される。これにより、帯状領域２０が背面側より照明され、透明体１６を前方より見て帯状領域２０が光って見える。
【００３３】
透明体１６の後方に位置する導光部材３８、４０は透明であるから、透明体１６の前方から導光部材３８、４０の存在を視認し難いから、透明体１６を前方より見て透明体１６の後方には何もないように見える。これにより、透明体１６の帯状領域１８、２０、つまり特定部位があたかも自ら発光しているように看視される。この照明によってインパクトの強い演出を行えるようになる。
【００３４】
導光部材３８、４０は暗いハウジング１２内にあることにより、透明体１６を前方より見て導光部材３８、４０の存在を、より一層視認し難くなる。これにより、帯状領域１８、２０があたかも自ら発光していると看視される演出効果が増す。
【００３５】
また、ＬＥＤ３０を点滅発光させると、帯状領域２０が点滅発光しているように見え、より一層インパクトの強い演出を行えるようになる。
【００３６】
各ＬＥＤ３０が放つ光は反射面２４、２６に到達する間に照射広がりによって面光源のように、反射面２４、２６の各々の全面に光が略一様に入射するから、このことと、反射面２４、２６が帯状領域１８、２０の形状と相似形であることと、導光部材３８、４０の光反射部材２２側の端面３８Ａ、４０Ａが反射面２４、２６と同一形状であることと、導光部材３８、４０の透明体１６側の端面３８Ｂ、４０Ｂが帯状領域１８、２０と同一形状であることとによって、光源が複数のＬＥＤ３０を点状配置したものであっても、帯状領域１８、２０の全体が一様に照明、つまり帯状領域１８、２０の全域が面状に照明され、帯状領域１８、２０の全体が継ぎ目なく面状に一様に光って見える効果が得られる。
【００３７】
更には、光反射部材２２は、全反射の個別の反射面２４、２６によって各導光部材３８、４０に光を並列の関係で分配するから、帯状領域１８、２０の双方が概ね同等の明るさをもって光る。これらのことにより、綺麗な光の演出を行えるようになる。
【００３８】
また、支持板３２が光遮断性であることにより、光反射部材２２の出射面２２Ｂからの漏れ光が透明体１６の背面側に向かうことが阻止され、帯状領域１８、２０が自ら発光しているように見える演出が綺麗に行われる。
【００３９】
本発明による装飾用照明装置の他の実施形態を、図３、図４を参照して説明する。
【００４０】
この実施形態では、透明体５０は、キャラクタのフェースマスクのような三次元立体形状をしており、目の相当する部分５２、５４、鼻および口に相当する部分５６、５８、顎に相当する部分６０の各部を照明する特定部位として設定されている。部分５２、５４、５６、５８、６０は、各々透明体５０の三次元立体形状に倣った三次元立体形状をしている。
【００４１】
部分５２、５４、５６、５８、６０毎に透明材料による導光部材６２、６４、６６、６８、７０が設けられている。光反射部材７２には、各導光部材６２、６４、６６、６８、７０に光を分配するように各導光部材６２、６４、６６、６８、７０に対応して反射面７４、７６、７８、８０、８２が形成されている。光源ユニット８４は、光反射部材７２の左右両側の２箇所に設けられている。
【００４２】
この実施形態では、透明体５０の部分５２、５４、５６、５８、６０の各部が透明体５０の三次元立体形状に倣った三次元立体形状をもって自ら発光しているように看視される。これにより、インパクトの強い演出を行えるようになる。
【００４３】
以上、本発明を、その好適な実施形態について説明したが、当業者であれば容易に理解できるように、本発明はこのような実施形態により限定されるものではなく、本発明の趣旨を逸脱しない範囲で適宜変更可能である。たとえば、上述した実施形態では、透明体１６、７０や光反射部材２２、７２の配置を水平や垂直にしたが、これは実施形態の説明の便宜上のことであり、これらは前後方向や左右方向に個々に傾斜した配置であってもよい。反射面２４、２６等は、必ずしも帯状領域（特定部位）１８、２０の形状と相似形でなくてもよく、特定部位に相関する形状であればよく、また、導光部材３８、４０等の光反射部材２２側の端面３８Ａ、４０Ａも反射面２４、２６等の形状と相関する形状であればよい。また、光源は、ＬＥＤに限られることなく、冷陰極蛍光管等の線状光源であってもよい。また、上記実施形態に示した構成要素は必ずしも全てが必須なものではなく、本発明の趣旨を逸脱しない限りにおいて適宜取捨選択することが可能である。
【符号の説明】
【００４４】
１０    装飾用照明装置
１２    ハウジング
１６    透明体
１８    帯状領域
２０    帯状領域
２２    光反射部材
２４    反射面
２６    反射面
２８    光源ユニット
３０    ＬＥＤ
３２    支持板
３８    導光部材
４０    導光部材
５０    透明体
６２    導光部材
６４    導光部材
６６    導光部材
６８    導光部材
７０    導光部材
７２    光反射部材
【図１】
2015138642.tif 000003
【図２】
2015138642.tif 000004
【図３】
2015138642.tif 000005
【図４】
2015138642.tif 000006